(57)【要約】      （修正有）【課題】頭部と頚部を全面的に支持し、快適な回民が得られる健康枕の提供。【解決手段】充填物を内部に充填してなる枕本体１０と、該枕本体に取り付ける枕付属体２０とによってなり、該枕本体は四隅を縫合して、充填物を集中させ、該枕本体を隆起させるための非充填領域を形成するとともに、該枕本体の中央の位置に、円弧線を描く窪みを自然に発生させるための非充填領域１２を別途形成し、かつ該枕本体の底面の中心より外れた位置に袋体１３を縫合し、該枕付属体は該袋体に挿入して該枕本体に取り付け、内部に充填物を充填するとともに、両端縁部布パッドをそれぞれ設け、一方の布パッドにオス面ファスナー２３を設け、他方の布パッドにメス面ファスナー２４を設けた健康枕。【選択図】図１
0003113149.tif 000002
【実用新案登録請求の範囲】
【請求項１】
充填物を内部に充填してなる枕本体と、該枕本体に取り付ける枕付属体とによってなる健康枕において、
該枕本体は四隅を縫合して、充填物を集中させ、該枕本体を隆起させるための非充填領域を形成するとともに、該枕本体の中央の位置に、円弧線を描く窪みを自然に発生させるための非充填領域を別途形成し、かつ該枕本体の底面の中心より外れた位置に袋体を縫合し、
該枕付属体は該袋体に挿入して該枕本体に取り付け、内部に充填物を充填するとともに、両端縁部布パッドをそれぞれ設け、一方の布パッドにオス面ファスナーを設け、他方の布パッドにメス面ファスナーを設けることを特徴とする健康枕。
【請求項２】
前記枕本体に充填する充填物が、顆粒状の木質の素材か、パイプ状のプラスチック材か、もしくは麦殻などのやや硬い材料であることを特徴とする請求項1 に記載の健康枕。
【請求項３】
前記枕付属体に充填する充填物が、綿か、絹などのやわらかい材料であることを特徴とする請求項1 に記載の健康枕。
【考案の詳細な説明】
【技術分野】
【０００１】
この考案は、枕に関し、特に睡眠、休憩時に頭部、頚部、及び腰部を完全に支えることによって、最もよい寝心地を達成する効果を有する健康枕の構造に関する。
【背景技術】
【０００２】
以前、使用されていた枕の構造は、柔らかい枕と硬い枕の２種類に分けることができる。柔らかい枕は布製の被覆層を有し、該被覆層内に羽毛、綿、もしくは布の切れ端等を充填してなる。係る構造は頭部に対して圧迫感を与えることはないが、夏季に使用する場合、通気性に欠けるため容易に暑苦しさを感じる。しかも充填物が不充分で緊密に充填されていない場合、圧力によって容易に変形する。即ち、支持力に欠ける。
【０００３】
硬い枕は細長く裁断した竹や藤を編んで形成し、内部に豆の殻や籾殻、或いは茶葉等を充填する。硬い枕は柔らかい枕に比べて通気性に優れ、使用者に対して暑苦しさを与えにくいため、夏季の使用に適し、且つ使用者の頭部、頚部に対する支持力も柔らかい枕に比して優れている。しかしながら、頭部、頚部を硬い枕で支持すると、相対的な圧力を受けるため、頚部の血管を圧迫することになる。
【０００４】
人々 は日常生活において、日々 かなりの体力を消耗し、精神を疲れさせている。よって、如何にしで決適な睡眠を得るかが繁忙な、そして緊張した現代社会において重要な課題となっている。故に、寝具に対する要求がますます高まっている。特に、枕に対する要求も高まっている。適宜な枕があれば緊張した生活を送る現代人の気持ちを和らげ、好ましい品質の睡眠を得ることができる。
【０００５】
そこで、各寝具業者は快適な睡眠環境を提供する為に、いずれもシーツ、枕、布団などの各種寝具に対して研究を行っている。目下、業者は心地よさ、通気性の追求、及び如何にして人体工学に適ったものにするかを研究開発の方向性としている。
【０００６】
目下、最もよく見受けられるものはエマルジョン樹脂やスポンジ等を一体に成形した枕である。これは成人用、子供用などの異なるニーズに応えるため、業者は一般に様々
な形状、異なるサイズの金型によって様々なニーズに対応する枕を成形している。但し、様々な使用の金型を使用するということは、必要とする金型の数が多くなるということであって、係る状況は直接製造コストに反映され、製造コストが必然的に高くなる。
【０００７】
また、従来用いられていたエマルジョン樹脂は体面の変形量に限界があるため、完全に使用者の頭の曲線に一致させることが難しい。しかも消費者が睡眠時に姿勢を変化させた場合、エマルジョン樹脂製の枕は姿勢の変化に対応して効率良く変形することができない。
【考案の開示】
【考案が解決しようとする課題】
【０００８】
この考案は、頭部と頚部を全面的に支持し、快適な睡眠が得られる健康枕の構造を提供することを課題とする。
【課題を解決するための手段】
【０００９】
そこで本考案者は従来の技術に鑑み鋭意研究を重ねた結果、充填物を内部に充填してなる枕本体と、該枕本体に取り付ける枕付属体とによってなり、該枕本体は四隅を縫合して、充填物を集中させ、該枕本体を隆起させるための非充填領域を形成するとともに、該枕本体の中央の位置に、円弧線を描く窪みを自然に発生させるための非充填領域を別途形成し、かつ該枕本体の底面の中心より外れた位置に袋体を縫合し、該枕付属体は該袋体に挿入して該枕本体に取り付け、内部に充填物を充填するとともに、両端縁部布パッドをそれぞれ設け、一方の布パッドにオス面ファスナーを設け、他方の布パッドにメス面フアスナーを設けてなる健康枕の構造によって課題を解決できる点に着眼し、係る知見に基づき本考案を完成させた。
以下、この考案について具体的に説明する。
【００１０】
請求項１に記載する健康枕は、充填物を内部に充填してなる枕本体と、該枕本体に取り付ける枕付属体とによってなる健康枕であって、
該枕本体は四隅を縫合して、充填物を集中させ、該枕本体を隆起させるための非充填領域を形成するとともに、該枕本体の中央の位置に、円弧線を描く窪みを自然に発生させるための非充填領域を別途形成し、かつ該枕本体の底面の中心より外れた位置に袋体を縫合し、
該枕付属体は該袋体に挿入して該枕本体に取り付け、内部に充填物を充填するとともに、両端縁部布パッドをそれぞれ設け、一方の布パッドにオス面ファスナーを設け、他方の布パッドにメス面フアスナーを設ける。
【００１１】
請求項２に記載する健康枕は、請求項１における枕本体に充填する充填物が、顆粒状の木質の素材か、パイプ状のプラスチック材か、もしくは麦殻などのやや硬い材料である。
【００１２】
請求項３に記載する健康枕は、請求項１における枕付属体に充填する充填物が、綿か、絹などのやわらかい材料である。
【考案の効果】
【００１３】
本考案の健康枕は頭部と頚部を全面的に支持することによって快適な睡眠が得られると共に、枕附属体を利用して腰の部分を支持することができ、人体工学に適った好ましい支持が得られるという利点がある。
【考案を実施するための最良の形態】
【００１４】
この発明は、快適な睡眠が得られる健康枕を提供するものであって、充填物を内部に充填してなる枕本体と、該枕本体に取り付ける枕付属体とによってなり、該枕本体は四隅を縫合して、充填物を集中させ、該枕本体を隆起させるための非充填領域を形成するとともに、該枕本体の中央の位置に、円弧線を描く窪みを自然に発生させるための非充填領域を別途形成し、かつ該枕本体の底面の中心より外れた位置に袋体を縫合し、該枕付属体は該袋体に挿入して該枕本体に取り付け、内部に充填物を充填するとともに、両端縁部布パッドをそれぞれ設け、一方の布パッドにオス面ファスナーを設け、他方の布パッドにメス面ファスナーを設けて構成する健康枕によって、頭部と頚部を全面的に支持して快適な睡眠を得るという目的を、実現した。
係る構成の健康枕について、その構造と特徴を詳述するために具体的な実施例を挙げ、以下に説明する。
【実施例】
【００１５】
図１、図２に本考案が提供する健康枕の構造を開示する。図面によれば健康枕１は、内部に充填物１１を充填した枕本体１０と、枕附属体２０とを含む。
【００１６】
枕本体１０は中央と４隅に位置を糸で縫合し、非充填領域１２を形成する。非充填領域１２を形成することによって充填物１１を集中させて隆起させる効果が得られるとともに、中央の位置の非充填領域１２によって円弧線を描き下方に自然に窪む態様が形成される。また、枕本体１０の底面には中央から外れた位置に別途袋体１３を縫合する。
【００１７】
枕附属体２０は内部に充填物１１を充填し、袋体１３に挿入する。両端縁部には布パッド２２を設け、該布パッド２２にはそれぞれオス面ファスナー２３と、メス面ファスナー２４を設ける。枕本体１０に充填する充填物１１は、例えば顆粒状を呈する木質の材料、短いパイプ状のプラスチック材、もしくは麦殻などのやや硬い素材を用いる。枕附属体２０に充填する充填物１１は、例えば綿、絹などの軟らかい素材を用いる。
【００１８】
人体光学に適った健康枕１の構造は以上の通りであるが、実際にこの考案を実施する場合の実例を以下に説明する。この考案による健康枕１のサイズは一般の枕のサイズを原則とする。例えば枕本体１０は６３ｃｍ×４３ｃｍとし、幅の中心点から１ｃｍ離れた位置を基準点として、更に基準点から３方向に向かって４．５ｃｍ離れた位置と、基準点から１方向に向かって６．５ｃｍ離れた位置にそれぞれ分岐点を設ける。更に全ての分岐点を円弧状に結ぶ線を糸で縫合し、縫合線によって囲まれた四角状の領域を非充填領域１２とする。次いで枕本体１０の４隅において、両辺が交わる点からそれぞれ１０ｃｍ離れた位置を分岐点とし、同様に両分岐点を結ぶ線を糸で縫合して三角状の非充填領域１２を形成する。
【００１９】
枕内に充填物１１を充填する場合、非充填領域１２による空間の制限を受けるため、充填物１１が集中して隆起し、崩れて平坦になることがない。また、枕本体１０の底面には中心から離れた領域に別途４０ｃｍ×１７ｃｍの袋体１３を縫合し、幅が袋体１３よりやや狭い４０ｃｍ×１６ｃｍの枕附属体２０を袋体１３に挿入して取り付ける。枕附属体２０内には適量の充填物２１を充填する。係る構成により枕が使用者の頚部の曲線と一致し、完全な支持作用が得られる。
【００２０】
この考案による健康枕１を使用する場合は、図３に開示するように使用者が仰向けになった状態において枕本体１０の提供する支持作用と、枕附属体２０の調整作用とによって使用者の頚部が完全に支持される。同時に枕本体１０の中央に形成された四角状の窪みである非充填領域１２によって頭部の位置決めと、心地よい当接の効果が提供される。また、使用者が横向きになった場合であっても同様に枕本体１０と枕附属体２０の支持作用、及び、非充填領域１２の収納作用が得られ、頭部、頬、頚部のいずれの部分においても十分な支持と快適な当接を得ることができる。
【００２１】
図４に開示するようにこの考案による健康枕１を使用する場合は、上述するように枕本体１０と枕附属体２０とを連結する形態のみならず、更には使用者の習慣に合わせ枕本体１０を頭部と頚部の下方に置き、枕附属体２０を腰の下に置いて両端縁部の布パッド２２を上方に回して腰を取り巻くように設け、オス面ファスナー２３と、メス面ファスナー２４とを連結させる。係る使用方法により枕本体１０と枕附属体２０の提供するそれぞれの支持作用によって快適な感覚が得られる。
【００２２】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２３】
【図１】この考案による健康枕の構造を示した説明図である。
【図２】この考案による健康枕の州説を示した斜視図である。
【図３】この考案による健康枕の使用態様を示した説明図である。
【図４】この考案による健康枕の他の使用態様を示した説明図である。
【符号の説明】
【００２４】
1  健康枕
10  枕本体
11  充填物
12  非充填領域
13  袋体
20  枕附属体
22  布パッド
23  オス面ファスナー
24  メス面フアスナー
【図１】
0003113149.tif 000003
【図２】
0003113149.tif 000004
【図３】
0003113149.tif 000005
【図４】
0003113149.tif 000006